(57)【要約】【課題】施設の利用者やイベントの参加者を撮影した画像を、記録媒体やインターネットを利用して簡単に提供できるようにすること。【解決手段】施設の利用者やイベントの参加者に情報記録媒体１０を配布しておく。撮影場所では、撮影画像の画像ＩＤを利用者や参加者が保持する情報記録媒体１０に記録し、画像データベース１３に画像とともに画像ＩＤを保存する。画像の提供を受ける際、画像提供装置１２は情報記録媒体１０に記録された画像ＩＤを取得し、画像データベース１３から画像ＩＤに対応した画像を選択して、利用者や参加者に提供する。撮影画像は、画像記録媒体に記録して提供したり、インターネットを介して配付する。また、撮影画像とその撮影画像の情報からマークアップ言語のコンテンツを作成し、自動再生するプログラムと合わせ画像記録媒体に記録して提供するようにしてもよい。【選択図】          図１
2004220153.tif 000002
【特許請求の範囲】
【請求項１】
施設への利用者もしくはイベントの参加者を被写体に含む映像を撮影するとともに、該利用者に配布した情報記録媒体に、上記利用者を被写体に含む撮影画像と一意に対応可能な該画像に関する情報を記録する画像撮影装置と、
上記情報記録媒体から上記情報を取得し、該情報を基に撮影画像の中から、上記利用者を被写体に含む撮影画像を選択する画像選択手段と、
上記選択された撮影画像を利用者に提供する画像提供装置を備えた
ことを特徴とする画像提供システム。
【請求項２】
施設への利用者もしくはイベントの参加者を被写体に含む撮影画像と一意に対応可能な該画像に関する情報が記録された情報記録媒体から、情報を取得する手段と、
上記情報を基に、上記撮影画像を格納した記憶手段から、上記利用者を被写体に含む撮影画像を選択する画像選択手段と、
上記選択された撮影画像を利用者に提供する提供手段を備えた
ことを特徴とする画像提供装置。
【請求項３】
上記提供手段は画像記録手段を備え、
上記画像記録手段は、上記情報記録媒体に記録された撮影画像と一意に対応可能な情報を基に選択した撮影画像の少なくとも一つと、前記画像の撮影場所や撮影時間等の撮影画像に関する情報を基に、マークアップ言語のテキストを作成する手段と、
前記作成したマークアップ言語のテキストと同マークアップ言語のテキストを自動再生するプログラムを画像記録媒体に記録する手段とを備えている
ことを特徴とする請求項１または請求項２の画像提供装置。
【請求項４】
上記情報記録媒体に記録された撮影画像と一意に対応可能な情報を基に選択された撮影画像の少なくとも一つを、インターネット経由で端末から視聴可能とする配付手段を備えている
ことを特徴とする請求項１または請求項２の画像提供装置。
【請求項５】
施設への利用者もしくはイベントの参加者を被写体に含む撮影画像を、該利用者に配布した情報記録媒体に記録された、上記撮影画像と一意に対応可能な該画像に関する情報に基づき利用者に提供するためのプログラムであって、
上記プログラムは、上記情報記録媒体から、上記情報を取得する処理と、
上記情報を基に、上記撮影画像を格納した記憶手段から、上記利用者を被写体に含む撮影画像を選択する処理と、
上記選択された撮影画像を利用者に提供する処理をコンピュータに実行させることを特徴とする画像提供プログラム。
【発明の詳細な説明】
【０００１】
【発明の属する技術分野】
娯楽施設等の各種施設の来場者あるいはイベントの参加者には、その時の楽しかったシーンや印象に残る静止画や動画を記録媒体に残して置いたり、自宅などに戻った際に今日の出来事や以前の来訪時の様子を家族で振り返ったりしたいといった強いニーズがある。
本発明は、娯楽施設等の各種施設やイベントでのそのようなシーンを利用者や参加者に簡単に提供できる画像提供システムに関する。
【０００２】
【従来の技術】
従来の画像提供システムとしては、特許文献１に記載の「娯楽施設のサービスシステム」がある。このシステムの概要を、図１３を用いて説明する。
このシステムでは、画像提供を受ける利用者は、同図（ａ）に示すように娯楽施設内の発券所で電子タグ１００を入手する。この電子タグ１００には、利用者に配布する前に、タグＩＤ記録装置１０１でタグＩＤ（ＩＤｅｎｔｉｆｉｃａｔｉｏｎ）番号（例えば１２３）が書き込まれている。特に、利用者がグループで来場し、グループの写真撮影を望む場合には、グループ利用者全員に共通のタグＩＤ番号が割り振られる。
そして、同図（ｂ）に示すように、撮影装置１０２のカメラ１０２ａで写真を撮影する際には、タグ取得装置１０２ｂがその電子タグのタグＩＤ番号を取得して、制御装置１０２ｃにより、画像データベース１０３に取得したタグＩＤ番号と写真のデータを登録する。
利用者が撮影画像の提供を受ける際には、同図（ｃ）に示すように、電子タグ１００のタグＩＤ番号を元に撮影写真を呼び出して、画像提供装置１０４から写真の提供を受けていた。
【０００３】
【特許文献１】
特開２００２−４１７０３号公報
【０００４】
【発明が解決しようとする課題】
ところが、従来の画像提供システムでは、電子タグ発券の際に個人またはグループで一意なＩＤ番号を書き込む必要がある。したがって、娯楽施設ではグループでの来場が多いが、そう言ったグループに同じ写真を提供する場合は、電子タグを発券する際にグループの人数分の同じＩＤ番号の電子タグを用意する必要があり、その作業が煩雑となると言った問題点があった。
一方、同じグループで撮影された写真の提供を受ける場合でも、必ずしもグループで撮影された写真全てが欲しいとは限らず、自分とグループの一部の人が写った画像で十分な場合もあった。また、画像の提供だけでは、その場所の状況とかがわかりにくく、どのようなことに感動したとかが思い出せず、コンテンツとして面白味に欠けることがあった。
本発明は上記事情考慮してなされたものであって、本発明の目的は、利用者や参加者への撮影画像の配布の作業が簡単に行え、利用者や参加者が欲しい写真のみの提供を受けることができ、さらに、撮影した画像を記録媒体やインターネットを介して自宅で視聴したり、撮影画像の場所や時刻を用いてコンテンツを作成し、それを自動的に再生できるプログラムを合わせて媒体として提供することができる画像提供システムを提供することである。
【０００５】
【課題を解決するための手段】
上記課題を解決するために、本発明では、あらかじめ情報記録媒体に一意のＩＤ情報を記録し、その情報で画像データを管理するのではなく、ＩＤ情報を記録せずに、施設への利用者やイベントの参加者に情報記録媒体を配布し、撮影した画像のＩＤ情報を利用者や参加者が保持する情報記録媒体に記録する。
そして、画像の提供を受ける場合には、その情報記録媒体に記録された画像ＩＤを取得し、該当画像を選択して上記利用者や参加者に提供する。
また、別の人の写真を含めた画像が欲しい場合は、自分と画像が欲しい人の記録媒体を利用することにより、簡単に希望の画像を選び出せることが可能となる。
また、撮影画像を画像記録媒体に記録して提供すれば、利用者や参加者は自宅のパソコン等を用いて撮影画像を見ることができる。さらに、撮影画像とその撮影画像の情報からＨＴＭＬ形式等のマークアップ言語のコンテンツを作成し、マークアップ言語のテキストを自動再生するプログラムと合わせることによって、撮影画像を楽しめ、かつ、テレビのように視聴することが可能となる。
またさらに、上記撮影画像をインターネット経由で利用者や参加者に配付すれば、利用者や参加者は、自宅のパソコン等を用いて、容易に撮影画像の提供を受けることができる。
その際、インターネットから撮影画像を視聴するための認証情報を記載した認証情報記載券もしくは認証文字列を発行し、この認証情報に基づき利用者や参加者に撮影画像を提供するようにすれば、第三者に画像を視聴されることなく、上記利用者もしくは参加者のみが画像を視聴することが可能となる。
【０００６】
【発明の実施の形態】
図１は本発明の実施例の情報提供システムの概念図である。以下の実施例では、利用者が娯楽施設を利用した際に撮影した画像を提供する場合について説明するが、本発明はその他の各種施設の利用者、イベント等の参加者を撮影した画像を提供する場合に適用することができる。
本実施例においては、次の３つの手順により画像を利用者に提供する。
１）画像についての情報を記録する情報記録媒体を利用者に配付する。
２）娯楽施設等で、当該施設の利用者の画像を撮影するとともに、上記情報記録媒体に画像ＩＤを記録する。
３）上記情報記録媒体に記録された画像ＩＤに基づき、利用者に撮影した画像を提供する。
【０００７】
まず、図１の１）情報記録媒体配布の場面について説明する。
ここでは、当娯楽施設の利用者に画像ＩＤ情報を記録できる情報記録媒体１０を配布する。この情報記録媒体１０としては、ＲＦＩＤ（ＲａｄｉｏＦｒｅｑｕｅｎｃｙＩＤｅｎｔｉｆｉｃａｔｉｏｎ）タグやＩＣ（ＩｎｔｅｇｒａｔｅｄＣｉｒｃｕｉｔ）カードのような記録可能な媒体を利用する。
なお、この情報記録媒体１０には、各媒体を識別する番号を付与する必要はない。特に、情報記録媒体１０を紛失し、第三者が画像を視聴することに抵抗など感じる利用者に対しては、同記録媒体１０に暗証番号を設定させても良い。
次に、図１の２）撮影の場面について説明する。画像としては、静止画や動画が考えられるので、各場合について説明する。
撮影の場面には、上記情報記録媒体１０に画像ＩＤを記録する画像ＩＤ記録装置１１ａと、カメラ１１ｂと制御装置１１ｃから構成される撮影装置１１が設けられる。上記制御装置１１ｃとは、ネットワーク等を介して画像を保存するための画像データベース（以下画像ＤＢという）１３が接続され、カメラ１１ｂで撮影した画像は、画像ＩＤとともに、画像ＤＢ１３に格納される。
【０００８】
以下、撮影の場面において、画像を撮影する手順について図２により説明する。なお、図２（ａ）は撮影画像が静止画の場合の手順、図２（ｂ）は撮影画像が動画の場合である。
ａ）撮影画像が静止画の場合
利用者が撮影エリアに侵入したことを、赤外線サンサー等のセンサーで検知する〔図２（ａ）のステップＳ１〕。
そして、撮影装置１１は利用者に撮影開始のタイミングを通知する（ステップＳ２）。通知の方法としては、表示パネルで撮影開始までの時間を表示しても良いし、音声合成などで撮影開始までの時間を音声で利用者に通知しても良い。
撮影時間が来たら撮影を行うが、それと同時に情報記録媒体に画像ＩＤを記録する（ステップＳ３）。なお、情報記録媒体１０へのこの画像ＩＤの記録としては、利用者が撮影エリア進入前に画像ＩＤ記録装置１１ａに情報記録媒体１０を設定し、撮影に合わせて画像ＩＤを記録しても良いし、非接触で画像ＩＤを記録できる場合には、利用者が保有している情報記録媒体１０に直接、画像ＩＤを記録しても良い。そして、撮影装置１１は画像ＩＤも含めて撮影した静止画を画像データベースに登録する（ステップＳ４）。
【０００９】
ｂ）撮影画像が動画の場合
利用者が撮影エリアに侵入したことを、赤外線サンサー等のセンサーで検知する〔図２（ｂ）のステップＳ１〕。
そして、撮影装置１１は利用者に撮影開始のタイミングを通知する（ステップＳ２）。通知の方法としては、表示パネルで撮影開始までの時間を表示しても良いし、音声合成などで撮影開始までの時間を音声で利用者に通知しても良い。
撮影時間が来たら動画を撮影し、撮影が終了した時点で、情報記録媒体１０に画像ＩＤを記録する（ステップＳ４，Ｓ５）。そして、撮影装置１１は画像ＩＤも含めて撮影した動画を画像データベースに登録する（ステップＳ６）。
【００１０】
なお、上記ａ）とｂ）の画像ＩＤは、撮影場所毎に割り振った番号や撮影日時等から設定する。例えば、画像ＩＤを［撮影個所の番号］  ［年］［月］［日］［時］［分］［秒］［ミリ秒］の順に作成する場合を説明する。仮に娯楽施設内の撮影個所が４箇所あるとすると、その４箇所に１〜４の番号を割り振る。
今、３番目の撮影個所で撮影したものとし、その時の撮影開始時刻が２００２年１０月７日１０時１５分３０秒であるとする。この場合、撮影した画像の画像ＩＤは、３２００２１００７１０１５３０００となる。
ただし、本実施例の図では、分かりやすいように画像ＩＤを３桁で略記している。
【００１１】
次に図１の３）画像提供の場面で、撮影した画像を利用者にどのように提供するかについて説明する。
画像提供の場面には、画像ＩＤ取得装置１２ａと制御装置１２ｂから構成される画像提供装置１２が設けられており、画像提供装置１２は、ネットワーク等を介して前記画像ＤＢ１３に接続されている。
利用者に撮影した画像を提供する場合は、画像提供装置１２は画像ＩＤ取得装置１２ａにより、利用者の情報記録媒体１０から撮影画像の画像ＩＤを取得する。そして、画像提供装置１２の制御装置１２ｂは、上記画像ＩＤ取得装置１２ａが取得した画像ＩＤを元に、画像ＤＢ１３から該当する画像を取得し、利用者に提供する。
利用者に画像を提供する方法としては、ＣＤ（ＣｏｍｐａｃｔＤｉｓｃ）、ＤＶＤ（ＤｉｇｉｔａｌＶｅｒｓａｔｉｌｅＤｉｓｃ）やＭＯ（ＭａｇｎｅｔＯｐｔｉｃａｌＤｉｓｋ）などの画像記録媒体で提供する方法とインターネットを介して画像を提供する方法がある。
【００１２】
画像記録媒体で画像を提供する場合には、画像提供装置１２に後述する図４、図５に示すように画像記録媒体作成装置が設けられ、画像記録媒体作成装置で提供する画像を格納した画像記録媒体を作成する。
また、インターネットで提供する場合には、後述する図７に示すように例えば画像提供装置１２に認証情報発券装置が設けられ、該発券装置で発行される認証情報発券装置に記録された認証情報を用いて、利用者の自宅等のパソコンから画像の提供を受ける。
さらに、再生プログラムを含んだ画像記録媒体を提供する場合には、後述する図１０に示すようにように画像提供装置１２に、コンテンツ再生プログラムを格納したデータベースとコンテンツ作成装置と画像記録媒体作成装置が設けられ、コンテンツ作成装置によりコンテンツを作成し、画像記録媒体作成装置によりコンテンツをコンテンツ再生プログラムとともに記録した画像記録媒体を作成し、利用者に自動再生可能な画像記録媒体を提供する。
以上により、情報記録媒体へ撮影した画像ＩＤを記録し、その画像ＩＤを元に画像を利用者に提供することができる。
【００１３】
以下、画像記録媒体で提供する場合とインターネットを介して画像を提供する場合のそれぞれについて説明する。
ａ）画像記録媒体で提供する場合
図３は画像記録媒体で画像を提供する場合の手順を示す図、図４、図５は画像記録媒体で画像を提供する場合の装置構成を示す図であり、同図により撮影画像を画像記録媒体で提供する場合について説明する。なお、図４は暗証番号を設定し、一つの情報記録媒体で画像記録媒体を提供する場合を示し、図５は複数の情報記録媒体で画像記録媒体を提供する場合を示している。
【００１４】
まず、利用者は、情報記録媒体１０を、画像提供装置１２の画像ＩＤ取得装置１２ａに設置する（図３のステップＳ１）。情報記録媒体１０には、図４に示すように、画像ＩＤ（例えばＩＤ：１２３，ＩＤ：７８９）が記録されている。
情報記録媒体１０に暗証番号（例えば図５に示すように暗証番号：９８７６）が設定されている場合には、暗証番号を利用者に入力させ、利用者が正しいことを確認する（ステップＳ２，Ｓ３）。
そして、画像ＩＤ取得装置１２ａは、利用者の情報記録媒体１０から撮影画像の画像ＩＤを取得する（ステップＳ４）。画像ＩＤ取得装置１２ａは、利用者が複数の情報記録媒体から画像を取り出したいかどうかを利用者に問い合わせる（ステップＳ５）。
図５に示すように、２枚の情報記録媒体１０−１，１０−２を用いて画像を取得する場合には、別の情報記録媒体に差し替えて、同様に画像ＩＤを取得する（ステップＳ６→ステップＳ１〜Ｓ５）。
画像ＩＤを取得し終わったら、画像提供装置１２の制御装置１２ｂは、取得した画像ＩＤの画像を画像ＤＢ１３から取得する（図３のステップＳ７）。
取得後、画像提供装置１２の画像記録媒体作成装置１２ｃは取得した画像を画像記録媒体２０に記録し（ステップＳ８）、利用者に提供する（ステップＳ９）。例えば図４の場合には、画像ＩＤ：１２３，ＩＤ：７８９の画像を記録した記録媒体２０が作成され利用者に提供される。
利用者は、画像提供装置１２から得た画像記録媒体２０を自宅のパソコンで再生することにより、娯楽施設で撮影した画像を楽しむことができる。
【００１５】
ｂ）インターネットを介して画像を提供する場合
図６は、Ｗｅｂサーバへの撮影画像登録手順を示す図、図７〜図９はインターネットを介して画像を提供する場合の装置構成および動作を説明する図である。
まず、利用者は、情報記録媒体１０を画像提供装置１２の画像ＩＤ取得装置１２ａに設置する（図６のステップＳ１）。画像ＩＤ取得装置１２ａは、利用者の情報記録媒体１０から撮影画像の画像ＩＤを取得する（ステップＳ２）。そして、利用者に読み込むべき情報記録媒体１０が他にあるかを問い合わせ、あればステップＳ１に戻り上記処理を行う（ステップＳ４→ステップＳ１）。なお、画像ＩＤの取得処理は、前記図４で説明した、記録媒体で提供する場合と同様であり、前記したように情報記録媒体１０に暗証番号が設定されている場合には、暗証番号を確認してもよい。
そして、インターネットから撮影画像を取得する際、Ｗｅｂサーバ１４にアクセスするための暗証番号を設定するかどうかを問い合わせる（図６のステップＳ５）。設定する場合には、利用者の暗証番号（図７の例では暗証番号：１２３４）を受け付ける（ステップＳ６，Ｓ７）。
これと同時に、画像提供装置１２の認証情報発券装置１２ｄは、図７に示すように、利用者が自宅からインターネットを介して撮影画像を視聴できるよう認証情報が記載された認証情報記載券２１を発行する。この認証情報記載券２１には、Ｗｅｂサーバの撮影画像を視聴するためのホームページのＵＲＬと撮影画像にアクセスするためのアクセスコードが記載されている。なお、上記のように認証情報記載券を発行する代わりに、認証情報を表示し、必要に応じて利用者が印字出力できるようにしてもよい。
画像提供装置１２の制御装置１２ｂは、以上のデータをＷｅｂサーバ１４のデータベースに登録する（ステップＳ８）。
【００１６】
利用者が上記画像情報の提供を受けるには、自宅等でパソコン（ＰＣ）等を利用して、インターネットを介して上記Ｗｅｂサーバにアクセスする。
利用者が、ＰＣ１５のブラウザで認証情報記載券２１のＵＲＬを指定すると、例えば図８のようなページが得られる。
利用者は、同ページのアクセスコードに上記認証情報記載券２１に記載されているアクセスコードを入力し、また、認証情報記載券２１の発券を受ける際に、利用者が暗証番号を設定した場合には暗証番号も入力する。
入力が正しいことが確認されると、例えば図９のような画面が表示され、この画面で、撮影画像を視聴することができる。
特に、図９の画面では、画像の下に『購入』ボタンを用意しており、インターネットを介して画像を購入できるようにしている。なお、このＷｅｂの処理に関しては、ＣＧＩ（ＣｏｍｍｏｎＧａｔｅｗａｙＩｎｔｅｒｆａｃｅ）などを用いて処理を実現する。
【００１７】
次に、前記した再生プログラムを含んだ記録媒体の作成について説明する。
図１０は再生プログラムを含んだ画像記録媒体を作成する場合の構成を示す図、図１１はコンテンツ作成手順を示す図、図１２は本実施例において使用されるテンプレートの概念図である。
画像提供装置１２は前記したように、利用者の情報記録媒体１０から得た画像ＩＤを元に該当する画像を取得する（図１１のステップＳ１）。画像提供装置１２の制御装置１２ｂは、同画像情報をコンテンツ作成装置１２ｅに渡し、コンテンツ作成を要求する（ステップＳ２）。
コンテンツ作成装置１２ｅは、取得した画像情報のうち一つの画像を選び、その画像ＩＤから撮影場所や画像時刻を抽出する（ステップＳ３）。なお、画像ＩＤについては、前記の画像ＩＤの設定方法（画像ＩＤ：［撮影個所の番号］［年］［月］［日］［時］［分］［秒］［ミリ秒］）が用いられているとするとすれば、この情報から撮影場所や画像時刻が抽出できる。
そして、抽出した情報から、データベース１２ｆに格納されたコンテンツのテンプレートを選択する（ステップＳ４）。
【００１８】
コンテンツのテンプレートとは、例えばＨＴＭＬテキスト等のマークアップ言語のテキスト（以下ではＨＴＭＬについて説明する）を生成するためのテンプレートで、複数用意されており、図１２に示すように、それぞれ撮影場所固有のテキスト情報や画像を含んでいる。
そして、撮影場所や撮影日時等からテンプレートを一つ選択できるものとする。選択したテンプレートに、撮影画像を組み込んで一つのＨＴＭＬ形式のコンテンツを作成する（ステップＳ５）。例えば、図１２に示すように、撮影画像と、上記撮影場所に応じたテキストと、画像の日付に応じたテキストから構成されるコンテンツを作成する。また、利用者を撮影した動画にリンクするようにしてもよい。
以上のように撮影した各画像についてコンテンツを作成し（ステップＳ６→Ｓ３〜Ｓ５）、コンテンツの作成が作成が終わったら、作成したコンテンツを制御装置１２ｂに転送する（ステップＳ７）。そして、画像記録媒体作成装置１２ｃは作成したＨＴＭＬ形式のコンテンツと、データベース１２ｆから得たＨＴＭＬ形式のコンテンツ再生プログラムにより、自動再生可能な画像記録媒体２０を作成し（ステップＳ８）、利用者に提供する（ステップＳ９）。
【００１９】
なお、このＨＴＭＬ形式の再生プログラムには、例えば特願２００１−１４９０２０号（「情報提供プログラム、情報提供方法、および記録媒体」）に記載されているプログラムを用いることができる。このプログラムは、ＨＴＭＬテキストを解析し、テキストは音声合成で読み上げ、リンクが張られた動画・音楽などは自動的にプレイヤーを起動して再生する。
また、特願２００１−２９４４１７号（「コンテンツ配信システム、コンテンツ配信サーバ，コンテンツ配信プログラムおよび同プログラムを記録したコンピュータ読取可能な記録媒体媒体」）に記載されるようにコンテンツ一覧を作成し、前記ＨＴＭＬ形式のコンテンツ再生プログラムがそのコンテンツ一覧を元に再生できるように設定して提供すれば、複数のコンテンツを連続して、テレビのように視聴することができる。
なお、以上説明した実施例はあくまで一つの例であり、本発明はここで説明した図等の内容に限定するものではない。
【００２０】
（付記１）  施設への利用者もしくはイベントの参加者を被写体に含む映像を撮影するとともに、該利用者に配布した情報記録媒体に、上記利用者を被写体に含む撮影画像と一意に対応可能な該画像に関する情報を少なくとも一つ記録する画像撮影装置と、
上記情報記録媒体から上記情報を取得し、該情報を基に撮影画像の中から、上記利用者を被写体に含む撮影画像を選択する画像選択手段と、
上記選択された撮影画像を利用者に提供する画像提供装置を備えた
ことを特徴とする画像提供システム。
（付記２）  施設への利用者もしくはイベントの参加者を被写体に含む撮影画像と一意に対応可能な該画像に関する情報が少なくとも一つ記録された情報記録媒体から、情報を取得する手段と、
上記情報を基に、上記撮影画像を格納した記憶手段から、上記利用者を被写体に含む撮影画像を選択する画像選択手段と、
上記選択された撮影画像を利用者に提供する提供手段を備えた
ことを特徴とする画像提供装置。
（付記３）  上記画像提供装置は、情報記録媒体に記録された、撮影画像と一意に対応可能な上記情報を基に選択された撮影画像の少なくとも一つを、画像記録媒体に記録する画像記録手段を備えている
ことを特徴とする付記１又は付記２の画像提供装置。
（付記４）  上記提供手段は画像記録手段を備え、
上記画像記録手段は、上記情報記録媒体に記録された撮影画像と一意に対応可能な情報を基に選択した撮影画像の少なくとも一つと、前記画像の撮影場所や撮影時間等の撮影画像に関する情報を基に、マークアップ言語のテキストを作成する手段と、
前記作成したマークアップ言語のテキストと同マークアップ言語のテキストを自動再生するプログラムを画像記録媒体に記録する手段とを備えている
ことを特徴とする付記１または付記２の画像提供装置。
（付記５）  上記情報記録媒体に記録された撮影画像と一意に対応可能な該画像に関する情報を基に選択された撮影画像の少なくとも一つを、インターネット経由で端末から視聴可能とする配付手段を備えている
ことを特徴とする付記１または付記２の画像提供装置。
（付記６）  インターネットから撮影画像を視聴するための認証情報を記載した認証情報記載券もしくは認証文字列を発行する手段と、
上記認証情報と前記撮影画像を一つの情報として管理する手段と、
利用者がインターネット経由で入力した前記認証情報記載券の認証情報もしくは認証文字列が、撮影画像共に管理した認証情報もしくは認証文字列と同じ場合に、
情報記録媒体に記録された撮影画像と一意に対応可能な画像に関する情報を基に選択された撮影画像の少なくとも一つを、インターネット経由で配付する配付手段を備えている
ことを特徴とする付記２の画像提供装置。
（付記７）  前記情報を取得する手段は、複数の情報記録媒体から撮影画像と一意に対応可能な該画像に関する情報を取得し、
前記画像選択手段は、取得した画像情報の和集合を元に撮影画像を選択する
ることを特徴とする付記２，３，４，５または付記６の画像提供装置。
（付記８）前記情報記録媒体には、同媒体の利用者が自由に設定できる暗証文字列が記録されており、
前記提供手段は、暗証文字列が設定されている情報記録媒体に対しては、同媒体に設定されている暗証文字列が、利用者が入力した暗証文字列に一致することが確認できた場合にのみ撮影画像を提供する
ことを特徴とする付記２，３，４，５，６または付記７の画像提供装置。
（付記９）  施設への利用者もしくはイベントの参加者を被写体に含む撮影画像を、該利用者に配布した情報記録媒体に記録された、上記撮影画像と一意に対応可能な該画像に関する情報に基づき利用者に提供するためのプログラムであって、
上記プログラムは、上記情報記録媒体から、上記情報を取得する処理と、
上記情報を基に、上記撮影画像を格納した記憶手段から、上記利用者を被写体に含む撮影画像を選択する処理と、
上記選択された撮影画像を利用者に提供する処理をコンピュータに実行させることを特徴とする画像提供プログラム。
（付記１０）  施設への利用者もしくはイベントの参加者を被写体に含む映像を撮影する撮影手段と、
上記利用者もしくは参加者に配布した情報記録媒体に、上記撮影装置により撮影された利用者もしくは参加者を被写体に含む撮影画像と一意に対応可能な情報を記録する手段を備えた
ことを特徴とする画像撮影装置。
（付記１１）  上記撮影手段は、被写体である利用者が撮影エリアに侵入した瞬間、または、そのエリアに入る前の状態を検知する手段を備え、その検知した状態から一定時間後に静止画または動画を撮影する
ことを特徴とする付記１０の画像撮影装置。
（付記１２）  施設への利用者もしくはイベントの参加者を被写体に含む映像を撮影するとともに、該利用者に配布した情報記録媒体に、上記利用者が被写体である撮影画像と一意に対応可能な該画像に関する情報を記録し、
上記情報記録媒体から上記情報を取得し、該情報を基に撮影画像の中から、上記利用者を被写体に含む撮影画像を選択し、
上記選択された撮影画像を利用者に提供する
ことを特徴とする画像提供方法。
【００２１】
【発明の効果】
本発明においては、以下の効果を得ることができる。
（１）施設の利用者やイベントの参加者に配布した情報記録媒体に、撮影画像の情報を記録し、その記録された情報を用いて撮影画像を利用者に提供するようにしたので、利用者に情報記録媒体を配布する際に、利用者毎に異なる識別情報を記録する必要はなく、利用者への配布の作業が簡単に行えるようになる。
また、別の人の写真を含めた画像が欲しい場合は、自分と画像が欲しい人の記録媒体を利用することにより、簡単に希望の画像を選び出せることが可能となる。
（２）撮影した画像を記録媒体に記録して提供すれば、利用者もしくは参加者は、自宅のパソコンを用いて撮影画像を再生することが可能となる。また、撮影画像を、インターネットを介して配付することにより、利用者もしくは参加者は、自宅のパソコンを用いて撮影画像を視聴することができる。
（３）撮影画像の場所や時刻を用いてコンテンツを作成し、それを自動的に再生できるプログラムを合わせて画像記録媒体に記録して提供すれば、利用者はテレビを視聴するような感化で思い出のシーンを楽しむことができる。
【図面の簡単な説明】
【図１】本発明の実施例の情報提供システム概念図である。
【図２】画像を撮影する手順を示すフローチャートである。
【図３】撮影画像を画像記録媒体で提供する手順を示すフローチャートである。
【図４】一つの情報記録媒体を元に画像記録媒体を提供する場合の構成を示す図である。
【図５】複数の情報記録媒体を元に画像記録媒体を提供する場合の構成を示す図である。
【図６】Ｗｅｂサーバへの撮影画像登録手順を示すフローチャートである。
【図７】撮影画像をインターネットを介して提供する場合の構成を示す図である。
【図８】画像取得のための入力画面例を示す図である。
【図９】撮影画像表示画面例を示す図である。
【図１０】再生プログラムを含んだ画像記録媒体の作成する場合の構成を示す図である。
【図１１】コンテンツの作成手順を示すフローチャートである。
【図１２】コンテンツのテンプレートの概念図である。
【図１３】従来のシステムを示す図である。
【符号の説明】
１０    情報記録媒体
１１    撮影装置
１１ａ  画像ＩＤ記録装置
１１ｂ  カメラ
１１ｃ  制御装置
１２    画像提供装置
１２ａ  画像ＩＤ取得装置
１２ｂ  制御装置
１２ｃ  画像記録媒体作成装置
１２ｄ  認証情報発券装置
１２ｅ  コンテンツ作成装置
１２ｆ  データベース
１３    画像データベース
１４    Ｗｅｂサーバ
１５    パソコン
２０    画像記録媒体
２１    認証情報記載券
【図１】
2004220153.tif 000003
【図２】
2004220153.tif 000004
【図３】
2004220153.tif 000005
【図４】
2004220153.tif 000006
【図５】
2004220153.tif 000007
【図６】
2004220153.tif 000008
【図７】
2004220153.tif 000009
【図８】
2004220153.tif 000010
【図９】
2004220153.tif 000011
【図１０】
2004220153.tif 000012
【図１１】
2004220153.tif 000013
【図１２】
2004220153.tif 000014
【図１３】
2004220153.tif 000015